(57)【要約】  本発明の実施例は、ネットワークのサーバの省エネルギーの方法であって、レイヤ２サービス発見・プロキシを前記ネットワークのアクセスポイント（ＡＰ）と一体化するステップを有し、前記サーバが低電力状態へ移行し、エネルギーを節約できるよう、前記ＡＰは、前記ネットワークのサーバに代わって前記サービスをアドバタイズする方法を提供する。
2011511588.tif 000002
【特許請求の範囲】
【請求項１】
ネットワークのサーバの省エネルギー化の方法であって：
レイヤ２サービス発見・プロキシを前記ネットワークのアクセスポイント（ＡＰ）と一体化するステップを有し、前記サーバが低電力状態へ移行し、エネルギーを節約できるよう、前記ＡＰは、前記ネットワークのサーバに代わって前記サービスをアドバタイズする方法。
【請求項２】
サーバが、無線リンクを介して接続されている場合、前記ネットワークから切断し、それがウエイクアップしかつ再接続するべきかを判断するために、周期的にビーコンをリスニングするステップ、を有する請求項１記載の方法。
【請求項３】
前記サーバが、そのサービス、デバイスＩＤ、および前記ＡＰプロキシに係る他のいかなる所望のサーバ情報をも登録するステップ、を更に有する請求項１記載の方法。
【請求項４】
前記ＡＰの前記プロキシによって、サーバによって登録された前記サービスの情報を記録するステップと、その後に、サービスが利用できる旨をそのビーコンで示すステップと、を更に有する請求項３記載の方法。
【請求項５】
ビーコン・バンド幅を節約するために、前記ビーコン・フレームから、いくつかの前記サービスの詳細を省略するステップ、を有する請求項４記載の方法。
【請求項６】
前記サーバが、低電力状態に移行するステップと、ビーコンをリスニングし、かつ接続性を維持するために、スリープしてかつ周期的にウエイクアップするステップと、を有する請求項４記載の方法。
【請求項７】
前記サーバが、前記ＡＰから完全に切断するステップと、周期的にウエイクアップして、ビーコンをリスニングするステップと、そのサービスが要請されたときに、再接続する必要があるかをチェックするステップと、を有する請求項４記載の方法。
【請求項８】
前記レイヤ２プロキシベースのサービス発見を使用するステップは、ブロードキャスト、指定されたメッセージ又はこれらの組合せのいずれかを介して前記ＡＰによってアドバタイズされたサービスを発見するステップ、を含む請求項４記載の方法。
【請求項９】
前記クライアントが特定のサーバを選択しそれへの接続を要求した場合、ＡＰによりサポートされた接続を確立するステップを有し、前記要求が前記ＡＰによって認識され、もし前記サーバが前記ＡＰに接続したままでかつそれが低電力モードである場合、前記ＡＰはそれをウエイクアップすることができる、請求項８記載の方法。
【請求項１０】
もし前記サーバが、切断され、かつ周期的にビーコンを調査するだけである場合、前記ＡＰは前記サーバが再接続する必要があり、かつ、そのデバイスＩＤがビーコンに示される場合、前記サーバの責任において接続を再確立することを示す、請求項９記載の方法。
【請求項１１】
一旦、前記サーバがウエイクアップし、かつ前記ＡＰに接続すると、前記ＡＰは、前記サーバおよび前記クライアントが相互に接続するために、前記接続要求を伝送する、請求項１０記載の方法。
【請求項１２】
ネットワークのアクセスポイント（ＡＰ）と一体化されたレイヤ２サービス発見・プロキシを有し、前記ＡＰは、前記サーバが低電力状態へ移行し、かつエネルギーを節約することを可能にするために、前記ネットワークのサーバに代わって、前記サービスをアドバタイズする、装置。
【請求項１３】
サーバは、前記ネットワークから切断し、それがウエイクアップしかつ再接続するべきかを判断するために、周期的にビーコンをリスニングする請求項１２記載の装置。
【請求項１４】
前記サーバが、そのサービス、デバイスＩＤ、および前記ＡＰプロキシに係る他のいかなる所望のサーバ情報をも登録する請求項１２記載の装置。
【請求項１５】
前記ＡＰプロキシは、サーバによって登録された前記サービスの情報を記録し、その後に、サービスが利用できる旨をそのビーコンで示す請求項１４記載の装置。
【請求項１６】
ビーコン・バンド幅を節約するために、前記ビーコン・フレームから、いくつかの前記サービスの詳細を省略する、請求項１５記載の装置。
【請求項１７】
前記サーバが、低電力状態に移行し、ビーコンをリスニングし、かつ接続性を維持するために、スリープして周期的にウエイクアップする、請求項１５記載の装置。
【請求項１８】
前記サーバが、前記ＡＰから完全に切断し、周期的にウエイクアップして、ビーコンをリスニングし、そのサービスが要請されたときに、再接続する必要があるかをチェックする、請求項１５記載の装置。
【請求項１９】
レイヤ２プロキシベースのサービス発見を使用することは、ブロードキャスト、指定されたメッセージ又はこれらの組合せのいずれかを介して前記ＡＰによってアドバタイズされたサービスを発見することを含む、請求項１５記載の装置。
【請求項２０】
前記クライアントが特定のサーバを選択しそれへの接続を要求した場合、ＡＰによりサポートされた接続を確立し、前記要求が前記ＡＰによって認識され、もし前記サーバが前記ＡＰに接続したままでかつそれが低電力モードである場合、前記ＡＰはそれをウエイクアップすることができる、請求項８記載の方法。
【発明の詳細な説明】
【技術分野】
【０００１】
高エネルギー効率のサービス発見および接続性を確保するためにネットワークのレイヤ２プロキシを利用する技術に関する。
【背景技術】
【０００２】
今日、サービスを提供するネットワーク装置（以下「サーバ」と言う）、例えば印刷、映写、表示、およびファイル共有サービスは、サービスを必要とするクライアント・デバイス（「クライアント」）からの要求に答えるため、オンライン状態を維持する必要がある。
【発明の概要】
【発明が解決しようとする課題】
【０００３】
パワーの節約は非常に重要である。さらに、今日においては、限られたバッテリーパワーによる無線ネットワーク・インタフェースを有するモバイル機器が出現してきている。これらのデバイスは、すぐに電池を消耗させることのないよう、能率的に自分自身のサービスを検索し、あるいは自己のサービスをアドバタイズすることが必要である。
【０００４】
したがって、エネルギー効率の良いサービス発見、およびネットワークの接続性のための技術に対する強い必要性が存在する。
【課題を解決するための手段】
【０００５】
本発明は、プロキシとアクセスポイント（ＡＰ）とを一体化することを提供する。
【０００６】
いうまでもなく、説明の分かりやすさ、および明瞭さのために、図において例示される要素は、一定の比率で必ずしも描画されるというわけではない。例えば、いくつかの要素の寸法は、明確にするため他の要素と関連して誇張されることがある。必要な場合には、参照番号は、対応する、または類似する要素を示すために、図の中で繰り返し使用される。
【０００７】
本発明の内容は、明細書の最後の部分の請求項に明確に記載されている。構成および動作方法に関する本発明は、目的、特徴、およびその効果と共に、添付の図面を参照して読むことにより、より良く理解できる。
【図面の簡単な説明】
【０００８】
【図１】本発明の実施例のレイヤ２プロキシベースの省エネルギー、サービス発見、およびサービス接続を実行するためのサンプル手順である。
【発明を実施するための形態】
【０００９】
以下の詳細な説明において、本発明の完全な理解を助けるために、多くの具体的な詳細が記載されている。しかしながら、本発明はこれらの具体的な詳細が無くても、当業者によって実施され得ることが理解される。他の例において、周知の方法、手順、要素、および回路は、本発明を不明確にすることを避けるために、記載されていない。
【００１０】
本発明の実施例は、種々のアプリケーションで使用されてもよい。本発明の一部の実施例は、各種デバイス、およびシステムと連動して使用されてもよい。例えば、送信機、レシーバ、トランシーバ、送受信機、無線通信局、ワイヤレス通信装置、無線アクセスポイント（ＡＰ）、モデム、無線モデム、パーソナル・コンピューター（ＰＣ）、デスクトップコンピュータ、モバイル・コンピュータ、ラップトップコンピュータ、ノート・パソコン、タブレットコンピュータ、サーバ・コンピュータ、ハンドヘルド・コンピュータ、携帯デバイス、パーソナル携帯情報機器（ＰＤＡ）デバイスまたは携帯ＰＤＡデバイスが挙げられる。
【００１１】
例えば、用語「処理」、「計算」、「算出」、「決定」、「確立」、「分析」、「照合」等の使用は、コンピュータ、計算機プラットフォーム、コンピューティング・システムまたは他の電子計算デバイス、コンピュータのレジスタおよび／またはメモリ内で物理量として示される他のデータまたはオペレーションおよび／または方法を実行するために命令を記憶し得る他の情報記憶媒体にコンピュータのレジスタおよび／またはメモリ内での（例えば、電子的な）物理量として示されるデータを操作しかつ／また変換するオペレーションおよび／または方法に関連してもよい。なお、本発明の実施例は、上記の点に関して制限されない。
【００１２】
用語「複数の」は、本願明細書において使用され、例えば、「２以上」を含んでもよい。本発明の実施例がこの点に関して制限されることはない。用語「複数の」は２つ以上のコンポーネント、デバイス、要素、ユニット、パラメータ、等を示すために、明細書の全体にわたって使用されてもよい。例えば、「複数の局」は２つ以上の局を含んでもよい。
【実施例】
【００１３】
本発明の実施例は、プロキシとアクセスポイント（ＡＰ）とを一体化することを提供する。例えば、省エネルギー型のサービス発見のためのレイヤ２プロキシとして機能するために、無線アクセスポイントが挙げられる。なお、本発明はこれに限定されない。プロキシとレイヤ２サービス発見とを一体化することは、本発明の一つの形態である。これは、ネットワークにおいて、ネットワークに接続する必要なしに、クライアント・デバイスがサービスを発見することを可能とする。さらに、本発明の実施例のレイヤ２プロキシは、サーバ、およびクライアント・デバイスをワイヤレス・ネットワークから切断させ、必要に応じて再接続することを可能とする。このことにより、ネットワーク接続性を維持する負担を軽減し、更に電源消費を減らすことができる。
【００１４】
図１に１００として包括的に示される本発明の実施例は、無線ＡＰ／ルーター１１５によって接続されるネットワークのサーバ１１０（例えばプリンタ、ディスプレイ、プロジェクタその他）の省エネルギー化を目的としており、かつ１１５に含まれる軽い（ｌｉｇｈｔ−ｗｅｉｇｈｔ）レイヤ２の解決策を提供する。基本的に、これは、レイヤ２サービス発見・プロキシをＡＰと一体化する。無線ＡＰ１１５は、サーバが低電力状態へ移行し、かつエネルギーを節約できるように、サーバ１１０に代わってサービスをアドバタイズする。さらにまた、プロキシを使用するサーバ１１０は、ネットワークからの切断によってより多くのパワーをセーブでき、それがウエイクアップし、再接続するべきかを判断するために周期的にビーコンをリスニングする。
【００１５】
図１の説明を続けると、この図は、本発明の実施例のレイヤ２プロキシベースの省エネルギー、サービス発見、およびサービス接続を実行するためのサンプル手順である。本発明の実施例は、以下のコンポーネント、および手順を含んでもよい：
１．サービス登録１２５：サーバがアイドル状態のときに、エネルギーを節約することを望む場合、無線ＡＰプロキシにそのサービス、デバイスＩＤ、その他を登録する。
【００１６】
２．レイヤ２サービス発見・プロキシ：ＡＰのプロキシは、サーバによって登録されるサービス情報を記録する。そして、そのビーコン１３０で、これらのサービスが利用できることを示す。ビーコン・バンド幅を節約するために、いくつかのサービス詳細（ｓｅｒｖｉｃｅ  ｄｅｔａｉｌｓ）は、通常はビーコン・フレームから省略される。
【００１７】
３．サーバは、低電力状態１３５に移行してもよい。例えば、これは、通常はスリープに移行し、かつビーコンをリスニングし、かつ接続性を維持するために、周期的にウエイクアップする（一部のデバイスでは、ネットワークインターフェイスカード（ＮＩＣ）だけが、ＡＰとの接続を維持するためにオンとなっている）。サーバはＡＰから完全に切断されてもよい。そして、周期的にビーコンをリスニングし、そのサービスがリクエストされた場合に再接続することが必要であるかどうかをチェックする。
【００１８】
４．レイヤ２プロキシベースのサービス発見１４０：第１に、クライアント・デバイス１２０、例えばウルトラモバイル機器がネットワークサービスを検索する場合、これはレイヤ２サービス発見がネットワークでサポートされていることを見つける。そして、ＡＰはサービス発見・プロキシとして機能する。クライアント・デバイスは、ブロードキャスト（例えばビーコン、又は一部の他のレイヤ２メッセージ）、または指示メッセージ（ｄｉｒｅｃｔｅｄ  ｍｅｓｓａｇｅ）（例えばプローブリクエスト、およびプローブレスポンスによって）、あるいはこれらの組合せによって、ＡＰがアドバタイズするサービスを発見する。
【００１９】
このステップにおいて、クライアントは、ネットワークにすでに接続されている（内部にある）か、または、未だ接続されていないか（外側にあるか）であることに留意すべきである。一旦それがサービスを利用してなされるならば、パワーを節約するために、クライアントはネットワークから切断することができる。クライアントは、プロキシが面倒を見るため、サービスのアップデート（ｓｅｒｖｉｃｅ  ｕｐｄａｔｅｓ）又は新たなアナウンスメントに注意している必要はない。
【００２０】
５．ＡＰがサポートする接続確立１４５：クライアントが特定のサーバを選定し、それに接続する場合、要求がＡＰによって認識される。サーバがＡＰに接続されており、低電力モードにとどまっている場合、ＡＰは、例えばｗａｋｅ−ｏｎ−ＬＡＮ、およびｗａｋｅ−ｏｎ−ｗｉｒｅｌｅｓｓ（ｗａｋｅ−ｏｎ−ＬＡＮと同様のメカニズム、マジックパケットがデバイスをウエイクアップさせる）のメカニズムによってそれをウエイクアップさせてもよい。なお、本発明はこの点に制限されないことは言うまでもない。サーバが切断され、そして周期的にビーコンを調べるだけになった場合、ＡＰはそれから、ビーコン１５０で、サーバが再接続することを必要とする旨指示する（例えば、プロバイダのデバイスＩＤをビーコンに含み、かつ再接続が必要なことを示すために、ビットをセットする）。そして、サーバのデバイスＩＤがビーコンに示されたときに、接続を再確立することは、サーバの責任である。サーバがウエイクアップし、かつ１５５をＡＰに接続すると、サーバ、およびクライアントが相互に接続できるよう、ＡＰは、接続要求を伝送する。１６０で、ＡＰは、接続要求を伝送する。そして、１６５で、クライアントおよびサーバ間の接続確立が完了する。
【００２１】
クライアントがステップ４において、未だネットワークに接続されない場合、ネットワークに接続する手順がステップ５に一体化されてもよい点に留意すべきである。例えば、図１において示される例で、ステップ５において、クライアントがＡＰと接続されており、サーバに対しても、使用したことを示している。なお、本願発明は、これに限定されない。
【００２２】
本願明細書において示されるように、サーバは、パワーをセーブするために、発明の実施例は、ネットワーク接続性を維持するためのコストを節約することによって、ＡＰから切断することができる。なお、接続性には、レイヤ２接続維持、ＡＲＰ要求への応答、ＤＨＣＰ状態の維持が含まれる。さらに、プロキシの故障を容易に検出することができる。なぜなら、プロキシの特徴は、ＡＰ自身に統合されているからである。そして、これは、ビーコンにおけるレイヤ２サービス発見およびサーバウエイクアップ情報の要素の存在により推定できる。上位のレイヤー・プロトコルに基づく代替方式は、プロキシがネットワークにおいて動作し続けているかについてサーバが関知することを、より難しくする。また、レイヤ２でプロキシのアイデアを適用することによって、レイヤ２サービス発見と統合されることが容易になされ、ネットワークに接続されているか、あるいは接続されていないクライアントが、ネットワークで提供されるサービスを発見することを可能とする。この特徴は、ネットワークから切断し、かつ、それがサービスを必要とし、そしてネットワークがサービスを提供していることを発見することによって、ライアント・デバイスが、ネットワーク、パワーをセーブすることを可能にする。最後に、本発明の実施例は、例えば、異なる上位のレイヤのサービス発見・プロトコル（ＵＰｎＰ、およびＺｅｒｏＣｏｎｆ）をインプリメントするサーバ装置をサポートする。なお、これらに限定されるものではない。
【００２３】
特定の本発明の特徴が例示され、かつ本願明細書において記載されているが、多くの変更態様、置換、変化、および均等物が現在当業者によってなされてもよい。従って、特許請求の範囲は、本発明の要旨の範囲内に含まれるこれらのすべての改変及び変形をカバーすることを意図している。
【図１】
2011511588.tif 000003
【国際調査報告】
2011511588.tif 000004
2011511588.tif 000005